(57)【要約】      （修正有）【課題】ユーザーの疾病リスクを低減する健康支援システム、健康支援サーバーおよび健康支援端末装置等を提供する。【解決手段】健康支援端末装置１０は、ユーザーの運動状態に関する情報である運動状態情報を取得する運動状態取得部を備え、健康支援サーバー２０は、運動状態情報に基づいて、ユーザーの運動能力の評価を行う運動能力評価部と、評価の結果に基づいて、ユーザーの運動目標を設定する運動目標設定部と、運動目標を設定した後に取得された運動状態情報に基づいて、ユーザーに対するインセンティブを決定するための運動目標の達成度を評価する達成度評価部と、を備える。【選択図】図１
2017045357.tif 000002
【特許請求の範囲】
【請求項１】
ユーザーの運動状態に関する情報である運動状態情報を取得する運動状態取得部と、
前記運動状態情報に基づいて、前記ユーザーの運動能力の評価を行う運動能力評価部と、
前記評価の結果に基づいて、前記ユーザーの運動目標を設定する運動目標設定部と、
前記運動目標を設定した後に取得された前記運動状態情報に基づいて、前記ユーザーに対するインセンティブを決定するための前記運動目標の達成度を評価する達成度評価部と、
を含む、健康支援システム。
【請求項２】
請求項１に記載の健康支援システムにおいて、
前記達成度に基づいて、前記ユーザーに対するインセンティブを決定するインセンティブ決定部を含む、健康支援システム。
【請求項３】
請求項１または２に記載の健康支援システムにおいて、
前記ユーザーに、前記運動目標を通知する運動目標通知部を含む、健康支援システム。
【請求項４】
請求項１ないし３のいずれか１項に記載の健康支援システムにおいて、
前記ユーザーが本人であるか否かの認証を行う本人認証部を含む、健康支援システム。
【請求項５】
請求項１ないし４のいずれか１項に記載の健康支援システムにおいて、
前記運動状態取得部は、加速度センサーを含む、健康支援システム。
【請求項６】
請求項１ないし５のいずれか１項に記載の健康支援システムにおいて、
前記運動状態取得部は、脈拍センサーを含む、健康支援システム。
【請求項７】
ユーザーの運動状態に関する情報である運動状態情報を健康支援端末装置から取得する取得部と、
前記運動状態情報に基づいて、前記ユーザーの運動能力の評価を行う運動能力評価部と、
前記評価の結果に基づいて、前記ユーザーの運動目標を設定する運動目標設定部と、
前記運動目標を設定した後に取得された前記運動状態情報に基づいて、前記ユーザーに対するインセンティブを決定するための前記運動目標の達成度を評価する達成度評価部と、
を含む、健康支援サーバー。
【請求項８】
ユーザーの運動状態に関する情報である運動状態情報を取得する運動状態取得部と、
前記運動状態情報に基づいて前記ユーザーの運動能力の評価を行い、前記評価の結果に基づいて前記ユーザーの運動目標を設定し、前記運動目標を設定した後の前記運動状態情報に基づいて前記ユーザーに対するインセンティブを決定するための前記運動目標の達成度を評価する健康支援サーバーに、前記運動状態情報を送信する通信部と、
を含む、健康支援端末装置。
【発明の詳細な説明】
【技術分野】
【０００１】
本発明は、健康支援システム、健康支援サーバーおよび健康支援端末装置に関する。
【背景技術】
【０００２】
近年、運動習慣などの生活習慣に起因する疾病を減らすことが求められている。そのため、運動を促すための様々な手法が提案されている。
【０００３】
例えば、特許文献１には、本人確認および本人装着確認機能を備えた運動状態モニター装置が記載されている。この運動状態モニター装置は、保険会社が被保険者に貸与し、運動することを促す。被保険者が、運動状態モニター装置を確実に身体に装着して一定期間に一定の運動量を記録すれば、保険会社は健康保険料を割り引く。
【先行技術文献】
【特許文献】
【０００４】
【特許文献１】特開２００２−２３８８７７号公報
【発明の概要】
【発明が解決しようとする課題】
【０００５】
しかし、個人の運動能力を考慮せずに所定の運動をしたとしても、生活習慣による健康リスクが一様に低減するわけではない。例えば、高齢者など運動能力が低下している被保険者に対して、若年の被保険者と同じ運動量を課すと、却って疾病のリスクを高める場合もある。
【０００６】
本発明は、以上のような技術的課題に鑑みてなされたものである。本発明のいくつかの態様によれば、ユーザーの疾病リスクを低減する健康支援システム、健康支援サーバーおよび健康支援端末装置等を提供することができる。
【課題を解決するための手段】
【０００７】
本発明は前述の課題の少なくとも一部を解決するためになされたものであり、以下の態様または適用例として実現することが可能である。
【０００８】
［適用例１］
本適用例に係る健康支援システムは、
ユーザーの運動状態に関する情報である運動状態情報を取得する運動状態取得部と、
前記運動状態情報に基づいて、前記ユーザーの運動能力の評価を行う運動能力評価部と、
前記評価の結果に基づいて、前記ユーザーの運動目標を設定する運動目標設定部と、
前記運動目標を設定した後に取得された前記運動状態情報に基づいて、前記ユーザーに対するインセンティブを決定するための前記運動目標の達成度を評価する達成度評価部と、
を含む、健康支援システムである。
【０００９】
本適用例によれば、ユーザーの運動能力の評価の結果に基づいて運動目標を設定し、前記ユーザーに対するインセンティブを決定するための、運動目標の達成度を評価できるので、ユーザーに適切な運動を促すことができる。したがって、ユーザーの疾病リスクを低減する健康支援システムを実現できる。
【００１０】
［適用例２］
上述の健康支援システムにおいて、
前記達成度に基づいて、前記ユーザーに対するインセンティブを決定するインセンティブ決定部を含んでもよい。
【００１１】
本適用例によれば、運動目標の達成度に応じてユーザーに対するインセンティブを決定するので、ユーザーに適切な運動を促すことができる。したがって、ユーザーの疾病リスクを低減する健康支援システムを実現できる。
【００１２】
［適用例３］
上述の健康支援システムにおいて、
前記ユーザーに、前記運動目標を通知する運動目標通知部を含んでもよい。
【００１３】
本適用例によれば、設定された運動目標をユーザーに通知することができるので、ユーザーに適切な運動を促すことができる。したがって、ユーザーの疾病リスクを低減する健康支援システムを実現できる。
【００１４】
［適用例４］
上述の健康支援システムにおいて、
前記ユーザーが本人であるか否かの認証を行う本人認証部を含んでもよい。
【００１５】
本適用例によれば、なりすましのリスクを低減できる。したがって、ユーザー本人に正しく運動を促すことができるので、ユーザーの疾病リスクを低減する健康支援システムを実現できる。
【００１６】
［適用例５］
上述の健康支援システムにおいて、
前記運動状態取得部は、加速度センサーを含んでもよい。
【００１７】
本適用例によれば、ユーザーの運動状態として、例えば、活動量や歩数などを取得することができる。
【００１８】
［適用例６］
上述の健康支援システムにおいて、
前記運動状態取得部は、脈拍センサーを含んでもよい。
【００１９】
本適用例によれば、ユーザーの運動状態として、例えば、心肺負荷や脈拍数などを取得することができる。
【００２０】
［適用例７］
本適用例に係る健康支援サーバーは、
ユーザーの運動状態に関する情報である運動状態情報を健康支援端末装置から取得する取得部と、
前記運動状態情報に基づいて、前記ユーザーの運動能力の評価を行う運動能力評価部と、
前記評価の結果に基づいて、前記ユーザーの運動目標を設定する運動目標設定部と、
前記運動目標を設定した後に取得された前記運動状態情報に基づいて、前記ユーザーに対するインセンティブを決定するための前記運動目標の達成度を評価する達成度評価部と、
を含む、健康支援サーバーである。
【００２１】
本適用例によれば、ユーザーの運動能力の評価の結果に基づいて運動目標を設定し、前記ユーザーに対するインセンティブを決定するための、運動目標の達成度を評価できるので、ユーザーに適切な運動を促すことができる。したがって、ユーザーの疾病リスクを低減する健康支援サーバーを実現できる。
【００２２】
［適用例８］
本適用例に係る健康支援端末装置は、
ユーザーの運動状態に関する情報である運動状態情報を取得する運動状態取得部と、
前記運動状態情報に基づいて前記ユーザーの運動能力の評価を行い、前記評価の結果に基づいて前記ユーザーの運動目標を設定し、前記運動目標を設定した後の前記運動状態情報に基づいて前記ユーザーに対するインセンティブを決定するための前記運動目標の達成度を評価する健康支援サーバーに、前記運動状態情報を送信する通信部と、
を含む、健康支援端末装置である。
【００２３】
本適用例によれば、ユーザーの運動能力の評価の結果に基づいて運動目標を設定し、前記ユーザーに対するインセンティブを決定するための、運動目標の達成度を評価する健康支援サーバーに運動状態情報を送信するので、ユーザーに適切な運動を促すための運動目標およびユーザーに対するインセンティブを決定するための情報を健康支援サーバーに送信することができる。したがって、ユーザーの疾病リスクを低減する健康支援端末装置を実現できる。
【図面の簡単な説明】
【００２４】
【図１】本実施形態に係る健康支援システム１の全体構成を示す機能ブロック図である。
【図２】健康支援端末装置１０を模式的に示す外観図である。
【図３】健康支援端末装置１０を模式的に示す断面図である。
【図４】健康支援端末装置１０の使用状態の一例を示す図である。
【図５】健康支援端末装置１０の構成を示す機能ブロック図である。
【図６】健康支援サーバー２０の構成を示す機能ブロック図である。
【図７】連携サーバー３０の構成を示す機能ブロック図である。
【図８】本人認証部１３を模式的に示す断面図である。
【図９】動機づけサイクルを説明するためのフローチャートである。
【図１０】健康支援システム１の動作例を説明するためのフローチャートである。
【図１１】健康支援システム１の動作例を説明するためのフローチャートである。
【図１２】運動状態情報として１日の歩数を取得した場合を示すグラフである。
【図１３】運動状態情報として１日の運動時間を取得した場合を示すグラフである。
【図１４】達成度の評価の一例を示す表である。
【図１５】インセンティブの一例を示す表である。
【発明を実施するための形態】
【００２５】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２６】
１．全体構成
図１は、本実施形態に係る健康支援システム１の全体構成を示す機能ブロック図である。健康支援システム１の動作例については、「２．動作例」の項で後述される。
【００２７】
本実施形態に係る健康支援システム１は、健康支援端末装置１０と、健康支援サーバー２０と、連携サーバー３０と、を含んで構成されている。
【００２８】
健康支援端末装置１０と健康支援サーバー２０とは、通信ネットワーク４０を介して通信可能に構成されている。通信ネットワーク４０は、有線通信であっても、無線通信であっても、これらの組み合わせであってもよい。また、通信ネットワーク４０内には、１つ以上の中継装置が含まれていてもよい。健康支援サーバー２０と連携サーバー３０とは、互いに通信可能に構成されている。例えば、健康支援サーバー２０と連携サーバー３０とは、通信ネットワーク４０を介して通信可能に構成されていてもよい。
【００２９】
図２は、健康支援端末装置１０を模式的に示す外観図である。図３は、健康支援端末装置１０を模式的に示す断面図である。図４は、健康支援端末装置１０の使用状態の一例を示す図である。
【００３０】
本実施形態における健康支援端末装置１０は、ユーザーの身体に装着して用いられることが好ましい。以下では、ユーザーの身体に装着して用いられる例として、図４に示されるように、健康支援端末装置１０がユーザーの腕に装着して用いられる腕装着型の端末装置である場合について説明する。
【００３１】
図２に示されるように、健康支援端末装置１０は、クレイドル２１０および情報通信端末２２０を介して、健康支援サーバー２０との通信を行う。すなわち、クレイドル２１０および情報通信端末２２０は、通信ネットワーク４０に含まれる中継装置として、通信ネットワーク４０の一部を構成している。健康支援端末装置１０がクレイドル２１０および情報通信端末２２０を介して通信を行うことによって、健康支援端末装置１０の電源として大容量の電池などを用いなくても、健康支援サーバー２０と通信を行うことができる。
【００３２】
図３に示されるように、本実施形態における健康支援端末装置１０は、筐体３０１、ガラス基板３０２、表示体３０３、回路基板３０４、電池３０５、操作ボタン３０６、加速度センサー１１１、脈拍センサー１１２などを含んで構成されている。図３に示される例では、筐体３０１およびガラス基板３０２によって形成される内部空間に、表示体３０３、回路基板３０４、電池３０５および加速度センサー１１１が配置されている。
【００３３】
表示体３０３は、例えば、液晶表示装置や電気泳動表示装置などの表示装置で構成され、後述される運動目標通知部１２の機能の少なくとも一部を担ってもよい。
【００３４】
回路基板３０４は、例えば、不図示のＣＰＵ（Central Processing Unit）を含んで構成され、表示体３０３、加速度センサー１１１および脈拍センサー１１２を制御したり、加速度センサー１１１および脈拍センサー１１２からデータを取得したり、クレイドル２１０との通信を行ったりしてもよい。
【００３５】
図５は、健康支援端末装置１０の構成を示す機能ブロック図である。
【００３６】
健康支援端末装置１０は、運動状態取得部１１と、通信部１５と、を含んで構成されている。図３に示される各機能ブロックの少なくとも一部は、不図示のＣＰＵ（Central Processing Unit）によって実行されるプログラムで実現されていてもよい。
【００３７】
運動状態取得部１１は、ユーザーの運動状態に関する情報である運動状態情報を取得する。運動状態取得部１１は、ユーザーの個人識別情報と関連付けて運動状態情報を取得してもよい。
【００３８】
運動状態取得部１１は、加速度センサー１１１（図３参照）を含んでもよい。これによって、ユーザーの運動状態として、例えば、活動量や歩数などを取得することができる。
【００３９】
運動状態取得部１１は、脈拍センサー１１２（図３参照）を含んでもよい。これによって、ユーザーの運動状態として、例えば、心肺負荷や脈拍数などを取得することができる。
【００４０】
通信部１５は、通信ネットワーク４０を介して、健康支援サーバー２０との間で情報の送受信を行う。例えば、通信部１５は、運動状態情報に基づいてユーザーの運動能力の評価を行い、前記評価の結果に基づいて前記ユーザーの運動目標を設定し、前記運動目標を設定した後の運動状態情報に基づいて前記ユーザーに対するインセンティブを決定するための前記運動目標の達成度を評価する健康支援サーバー２０（健康支援サーバー２０の詳細は後述される）に、運動状態情報を送信する。
【００４１】
図６は、健康支援サーバー２０の構成を示す機能ブロック図である。健康支援サーバー２０は、取得部２１と、運動能力評価部２２と、運動目標設定部２３と、達成度評価部２４と、通信部２５と、を含んで構成されている。図６に示される各機能ブロックの少なくとも一部は、不図示のＣＰＵ（Central Processing Unit）によって実行されるプログラムで実現されていてもよい。
【００４２】
取得部２１は、ユーザーの運動状態に関する情報である運動状態情報を健康支援端末装置１０から取得する。本実施形態においては、取得部２１は、健康支援端末装置１０の通信部１５、通信ネットワーク４０および通信部２５を介して、運動状態情報を取得する。
【００４３】
運動能力評価部２２は、取得部２１から運動状態情報を取得し、取得した運動状態情報に基づいて、ユーザーの運動能力の評価を行う。例えば、運動能力評価部２２は、運動状態取得部１１の加速度センサー１１１による検出結果に基づいて運動強度を評価し、その運動強度と、脈拍センサー１１２による検出結果とに基づいて、心肺機能に着目した運動能力の評価を行ってもよい。
【００４４】
運動目標設定部２３は、運動能力評価部２２による評価の結果に基づいて、ユーザーの運動目標を設定する。運動目標は、ユーザーが日常的に行うべき運動の目標である。運動目標は、有酸素運動と無酸素運動とを適宜組み合わせた目標であってもよい。運動目標設定部２３は、ユーザーの運動能力が高い場合には高めの運動目標を設定し、ユーザーの運動能力が低い場合には低めの運動目標を設定する。
【００４５】
達成度評価部２４は、運動目標設定部２３が運動目標を設定した後に取得された運動状態情報に基づいて、運動目標の達成度を評価する。例えば、ユーザーＡに対して運動目標が設定された場合に、ユーザーＡが行った運動の運動状態についての運動状態情報に基づいて、運動目標に達したか否かを評価する。達成度の評価は、日単位で行ってもよいし、週単位や年単位など、所定の期間を単位として行ってもよい。
【００４６】
通信部２５は、通信ネットワーク４０を介して健康支援端末装置１０との間で情報の送受信を行う。また、通信部２５は、連携サーバー３０との間で情報の送受信を行う。
【００４７】
本実施形態によれば、ユーザーの運動能力の評価の結果に基づいて運動目標を設定し、前記ユーザーに対するインセンティブを決定するための、運動目標の達成度を評価できるので、ユーザーに適切な運動を促すことができる。したがって、ユーザーの疾病リスクを低減する健康支援システム１および健康支援サーバー２０を実現できる。
【００４８】
本実施形態の健康支援端末装置１０によれば、ユーザーの運動能力の評価の結果に基づいて運動目標を設定し、前記ユーザーに対するインセンティブを決定するための、運動目標の達成度を評価する健康支援サーバー２０に運動状態情報を送信するので、ユーザーに適切な運動を促すための運動目標およびユーザーに対するインセンティブを決定するための情報を健康支援サーバー２０に送信することができる。したがって、ユーザーの疾病リスクを低減する健康支援端末装置１０を実現できる。
【００４９】
図７は、連携サーバー３０の構成を示す機能ブロック図である。連携サーバー３０は、インセンティブ決定部３１と、通信部３２と、を含んで構成されている。図７に示される各機能ブロックの少なくとも一部は、不図示のＣＰＵ（Central Processing Unit）によって実行されるプログラムで実現されていてもよい。
【００５０】
通信部３２は、健康支援サーバー２０との間で情報の送受信を行う。
【００５１】
インセンティブ決定部３１は、達成度評価部２４で評価された達成度に基づいて、ユーザーに対するインセンティブを決定する。インセンティブ決定部３１は、通信部３２および通信部２５を介して、達成度評価部２４で評価された達成度に関する情報を取得する。
【００５２】
インセンティブは、ユーザーにとって、運動目標を達成するための動機づけとなり得るものであればよく、例えば、健康保険や医療保険、生命保険などの保険料率であってもよいし、景品や金券などであってもよい。
【００５３】
なお、本実施形態においては、連携サーバー３０がインセンティブ決定部３１を有する構成を例に説明したが、健康支援サーバー２０がインセンティブ決定部３１を有する構成も同様に実現可能である。
【００５４】
本実施形態によれば、運動目標の達成度に応じてユーザーに対するインセンティブを決定するので、ユーザーに適切な運動を促すことができる。したがって、ユーザーの疾病リスクを低減する健康支援システム１を実現できる。
【００５５】
図５に戻り、健康支援端末装置１０は、ユーザーに運動目標を通知する運動目標通知部１２をさらに含んでもよい。運動目標通知部１２は、通信部１５、通信ネットワーク４０、通信部２５を介して、運動目標設定部２３から運動目標に関する情報を取得する。運動目標通知部１２としては、例えば、運動目標を表示する表示装置であってもよいし、運動目標を音声で出力する音声出力装置であってもよい。
【００５６】
本実施形態によれば、設定された運動目標をユーザーに通知することができるので、ユーザーに適切な運動を促すことができる。したがって、ユーザーの疾病リスクを低減する健康支援システム１および健康支援端末装置１０を実現できる。
【００５７】
健康支援端末装置１０は、ユーザーが本人であるか否かの認証を行う本人認証部１３をさらに含んでもよい。本人認証の方法としては、例えば、指紋認証、虹彩認証、静脈認証などの生体認証や、パスワード認証などを採用できる。
【００５８】
図８は、本人認証部１３を模式的に示す断面図である。図８に示される例では、本人認証部１３は、本人認証として、腕の静脈の形状に基づく静脈認証を行う。また、本人認証部１３は、運動状態取得部１１の脈拍センサー１１２の機能を兼ねている。
【００５９】
図８に示される本人認証部１３は、ガラス基板１３１、センサー基板１３２、リフレクター１３３、光源１３４および画像センサー１３５を含んで構成されている。ガラス基板
１３１およびセンサー基板１３２は、光源１３４が発する光を透過する材質で形成されている。光源１３４が発する光としては、皮膚の透過性がよく、還元ヘモグロビンが吸収しやすい７６０ｎｍ付近の波長が適している。ガラス基板１３１とセンサー基板１３２は、光源１３４を挟んで積層されている。画像センサー１３５は、センサー基板１３２上に設けられている。リフレクター１３３は、センサー基板１３２を覆うようにドーム状に設けられている。リフレクター１３３は、反射された光が画像センサー１３５に集まるように設計されている。画像センサー１３５によって、静脈の形状や色合いを検出することによって、静脈認証を行えるとともに、脈拍を検出することができる。
【００６０】
本実施形態によれば、なりすましのリスクを低減できる。したがって、ユーザー本人に正しく運動を促すことができるので、ユーザーの疾病リスクを低減する健康支援システム１および健康支援端末装置１０を実現できる。また、本人認証部１３が運動状態取得部１１の脈拍センサー１１２の機能を兼ねることによって、小型化に適している健康支援端末装置１０を実現できる。また、本人認証部１３が運動状態取得部１１の脈拍センサー１１２の機能を兼ねることによって、本人認証と脈拍の検出を連続して、または、並行して、行うことができる。これによって、なりすましのリスクをさらに低減できる。
【００６１】
図５に戻り、健康支援端末装置１０は、ユーザーにインセンティブを通知するインセンティブ通知部１４をさらに含んでもよい。インセンティブ通知部１４は、通信部１５、通信ネットワーク４０、通信部２５を介して、インセンティブ決定部３１からインセンティブに関する情報を取得する。インセンティブ通知部１４としては、例えば、インセンティブを表示する表示装置であってもよいし、インセンティブを音声で出力する音声出力装置であってもよい。
【００６２】
本実施形態によれば、決定されたインセンティブをユーザーに通知することができるので、ユーザーのやる気を向上させ、ユーザーに適切な運動を促すことができる。したがって、ユーザーの疾病リスクを低減する健康支援システム１および健康支援端末装置１０を実現できる。
【００６３】
２．動作例
図９は、動機づけサイクルを説明するためのフローチャートである。図９では、ユーザーにとって適切な運動目標が既に設定されている状況について説明している。
【００６４】
まず、ユーザーが適切な強度および時間で運動を行う（ステップＳ１）。ステップＳ１において、ユーザーは健康支援端末装置１０によって運動状態情報を取得する。
【００６５】
ステップＳ１の後に、ユーザーは運動状態情報を健康支援サーバー２０に送信する（ステップＳ２）。送信された運動状態情報に基づいて、健康支援サーバー２０の達成度評価部２４が運動目標の達成度を評価し、評価の結果に基づいて、連携サーバー３０のインセンティブ決定部３１がユーザーに対するインセンティブを決定する。
【００６６】
ステップＳ２の後に、ユーザーはインセンティブを確認する（ステップＳ３）。例えば、ユーザーは健康支援端末装置１０のインセンティブ通知部１４によってインセンティブを確認する。
【００６７】
ユーザーが適切な運動を行うことによるインセンティブを知ることによって、適切な運動を行うことに対する動機が増すことになる。その結果、ユーザーは適切な運動を再び行うことになる（ステップＳ１）。
【００６８】
このような動機づけサイクルを回し続けることによって、ユーザーは適切な運動を継続
できる。また、ユーザーの疾病リスクを低減するためには、ユーザーの運動能力に応じた適切な運動目標を設定することが重要である。本実施形態における健康支援システム１は、ユーザーの運動能力に応じた適切な運動目標を設定した上で、この動機づけサイクルを回すことを支援する。
【００６９】
図１０は、健康支援システム１の動作例を説明するためのフローチャートである。図１０は、運動目標を設定するための初期の運動をユーザーが行う場面での動作例である。
【００７０】
まず、健康支援端末装置１０の運動状態取得部１１が、ユーザーの個人識別情報および運動状態情報を取得する（ステップＳ１００）。ステップＳ１００においては、予め指定された運動をユーザーが行い、その運動状態に関する情報を取得する。
【００７１】
ステップＳ１００の後に、健康支援サーバー２０の運動能力評価部２２が、ステップＳ１００で取得された運動状態情報に基づいて、ユーザーの運動能力の評価を行う（ステップＳ１０２）。例えば、運動能力評価部２２は、運動中のユーザーの脈拍数の上昇が緩やかな場合には、運動能力が高いものと評価してもよい。同様に、運動能力評価部２２は、運動中のユーザーの脈拍数の上昇が激しい場合には、運動能力が低いものと評価してもよい。
【００７２】
ステップＳ１０２の後に、健康支援サーバー２０の運動目標設定部２３が、ステップＳ１０２の評価の結果に基づいて、ユーザーの運動目標を設定する（ステップＳ１０４）。例えば、運動能力の評価が高い場合には、運動目標設定部２３は、運動強度が高い運動目標を設定してもよいし、運動時間の長い運動目標を設定してもよい。同様に、運動能力の評価が低い場合には、運動目標設定部２３は、運動強度が低い運動目標を設定してもよいし、運動時間の短い運動目標を設定してもよい。
【００７３】
ステップＳ１０４の後に、健康支援端末装置１０の運動目標通知部１２が、ステップＳ１０４で設定された運動目標をユーザーに通知する（ステップＳ１０６）。これによって、ユーザーは日々行うべき運動の目標を知ることができる。
【００７４】
図１１は、健康支援システム１の動作例を説明するためのフローチャートである。図１１は、設定された運動目標に基づいてユーザーが運動を行う場面での動作例である。
【００７５】
まず、健康支援端末装置１０の本人認証部１３が、ユーザーが本人であるかの認証を行う（ステップＳ２００）。本人認証部１３は、ユーザーが本人であるものと認証した場合には、対応する個人識別情報を生成する。
【００７６】
ステップＳ２００の後に、健康支援端末装置１０の運動状態取得部１１が、ユーザーの運動状態情報を取得する（ステップＳ２０２）。ステップＳ２０２においては、ユーザーは、設定された運動目標に基づいて運動を行う。
【００７７】
図１２は、運動状態情報として１日の歩数を取得した場合を示すグラフである。図１２の横軸は日付、縦軸は１日の歩数を表す。本実施形態においては、健康支援端末装置１０が有する加速度センサー１１１の検出結果に基づいて歩数を算出している。
【００７８】
図１３は、運動状態情報として１日の運動時間を取得した場合を示すグラフである。図１３の横軸は日付、縦軸は１日の運動時間（分）である。本実施形態においては、中程度の運動強度の運動を行った時間を運動時間としている。本実施形態においては、健康支援端末装置１０が有する脈拍センサー１１２の検出結果に基づいて運動時間を算出している。
【００７９】
図１１に戻り、ステップＳ２０２の後に、健康支援サーバー２０の達成度評価部２４が、ステップＳ２０２で取得された運動状態情報と、ステップＳ１０４で設定された運動目標と、に基づいて、運動目標の達成度を評価する（ステップＳ２０４）。例えば、運動目標が２０分間の中程度の運動強度の運動（例えば、ジョギング）である場合に、ユーザーが１５分間の運動しか行わなかった場合には、達成度評価部２４は、達成度を７５％としてもよいし、達成度を０（運動目標を達成できなかった）としてもよい。また、達成度評価部２４は、複数回の運動状態情報に基づいて、達成度を評価してもよい。例えば、運動目標が２０分間の中程度の運動強度の運動を１週間のうち５回以上行うことである場合には、１周間のうち５回以上の運動を行ったか否かで達成度を評価してもよい。
【００８０】
図１４は、達成度の評価の一例を示す表である。図１４に示される例では、ユーザーの運動能力は中程度であり、運動目標として、
（１）歩数：１日あたり１００００歩
（２）中程度の運動強度の運動時間：１日あたり２０分間
の２つが設定されているものとする。図１４に示されるように、各目標について達成度を１０点満点で評価し、ポイント合計を運動目標の総合的な達成度として評価してもよい。
【００８１】
図１１に戻り、ステップＳ２０４の後に、連携サーバー３０のインセンティブ決定部３１が、ステップＳ２０４で評価された達成度に基づいて、ユーザーに対するインセンティブを決定する（ステップＳ２０６）。例えば、インセンティブ決定部３１は、図１４に示されるポイント合計に応じた金品に交換するというインセンティブを決定してもよい。また、インセンティブ決定部３１は、図１４に示されるポイント合計に応じて、翌年の生命保険の掛け金を割り引くというインセンティブを決定してもよい。
【００８２】
図１５は、インセンティブの一例を示す表である。図１５に示される例では、翌年の生命保険の掛け金を割り引くというインセンティブについて示されている。生命保険の掛け金は、ユーザー（被保険者）の等級に基づいて決定され、等級が高いほど掛け金が安いものとする。本実施形態においては、翌年の等級は、以下の式で決定される。以下の式において、［］はガウス記号を表す。
【００８３】
翌年の等級＝現在の等級＋［ポイント合計／１０］
図１５に示される場合には、現在の等級が１０、［ポイント合計／１０］が１であるので、翌年の等級は１１となる。
【００８４】
図１１に戻り、ステップＳ２０６の後に、健康支援端末装置１０のインセンティブ通知部１４が、ユーザーに対するインセンティブを通知する（ステップＳ２０８）。例えば、生命保険の掛け金を決定するための翌年の等級や、その等級によって生命保険の掛け金がどれだけ安くなるかなどの情報をユーザーに通知してもよい。
【００８５】
本実施形態によれば、ユーザーの運動能力の評価の結果に基づいて運動目標を設定し、その達成度に応じてユーザーに対するインセンティブを決定できるので、ユーザーに適切な運動を促すことができる。したがって、ユーザーの疾病リスクを低減する健康支援システム１を実現できる。
【００８６】
以上、本実施形態あるいは変形例について説明したが、本発明はこれら本実施形態あるいは変形例に限られるものではなく、その要旨を逸脱しない範囲において種々の態様で実施することが可能である。
【００８７】
本発明は、実施形態で説明した構成と実質的に同一の構成（例えば、機能、方法および
結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００８８】
１…健康支援システム、１０…健康支援端末装置、１１…運動状態取得部、１２…運動目標通知部、１３…本人認証部、１４…インセンティブ通知部、１５…通信部、２０…健康支援サーバー、２１…取得部、２２…運動能力評価部、２３…運動目標設定部、２４…達成度評価部、２５…通信部、３０…連携サーバー、４０…通信ネットワーク、１１１…加速度センサー、１１２…脈拍センサー、１３１…ガラス基板、１３２…センサー基板、１３３…リフレクター、１３４…光源、１３５…画像センサー、２１０…クレイドル、２２０…情報通信端末、３０１…筐体、３０２…ガラス基板、３０３…表示体、３０４…回路基板、３０５…電池、３０６…操作ボタン
【図１】
2017045357.tif 000003
【図２】
2017045357.tif 000004
【図３】
2017045357.tif 000005
【図５】
2017045357.tif 000006
【図６】
2017045357.tif 000007
【図７】
2017045357.tif 000008
【図８】
2017045357.tif 000009
【図９】
2017045357.tif 000010
【図１０】
2017045357.tif 000011
【図１１】
2017045357.tif 000012
【図１２】
2017045357.tif 000013
【図１３】
2017045357.tif 000014
【図１４】
2017045357.tif 000015
【図１５】
2017045357.tif 000016
【図４】
2017045357.tif 000017